(57)【要約】【課題】組立上有利で取り扱いが容易な点滴または輸血用ビンの栓を提供する。【解決手段】本発明は、ビンの頸部（３）に適合するゴム状のシール部品（１）を備えた点滴または輸血用ビンの栓キャップ（Ｖ）に関するもので、栓キャップ（７）はビン頸部（３）の膨らみ（５）の下側に係合するように形成され、さらに栓キャップ（７）をビンの頸部（３）に形状的に固定するための被覆キャップ（８）が設けられ、例えば殺菌処理が容易に実施できる組立上好都合な形態を得るため、シール部品（１）を栓キャップ（７）に組み込み、シール部品（１）は栓キャップ（７）の外側に貫通部（１７）を露出させており、かつ貫通部（１７）を覆う被覆キャップ（８）は、栓キャップ（７）と貫通部（１７）の間に軸方向の距離（ｙ）を保つ第１の可逆的係合位置（Ｉ）に固定することができることが提案されている。【選択図】図９
2004536686.tif 000002
【特許請求の範囲】
【請求項１】
ビンの頸部（３）に適合したゴム状のシール部品（１）を備えた点滴または輸血用ビンの栓キャップ（Ｖ）であって、栓キャップ（７）はビン頸部（３）の膨らみ（５）の下側に係合するように形成され、さらに被覆キャップ（８）が、栓キャップ（７）をビン頸部（３）に形状的に固定するため設けられた栓キャップにおいて、
シール部品（１）は栓キャップ（７）に組み込まれ、
シール部品（１）は栓キャップ（７）の外側に貫通部（１７）を露出させており、および
貫通部（１７）を覆う被覆キャップ（８）は、栓キャップ（７）と貫通部（１７）の間に軸方向の距離（ｙ）を保つ第１の可逆的係合位置（Ｉ）に固定することができることを特徴とする栓キャップ。
【請求項２】
特に、栓キャップ（７）およびシール部品（１）が２成分射出成形により製作されることを特徴とする請求項１に記載する栓キャップ。
【請求項３】
特に、シール部品（１）に、収縮によって栓キャップ（７）に対する弾性的予圧力を生じることを特徴とする請求項１または２の何れかに記載する栓キャップ。
【請求項４】
特に、栓キャップ（７）が、対応する係合突起（２８）を備えた被覆キャップ（８）の円筒状の壁（２５）と係合する外側の係合凹部（２７）を備え、かつ係合突起（１５）が設けられた下側係合片（１４）を有する円周方向の円弧セグメント状に形成されることを特徴とする請求項１ないし３の何れかに記載する栓キャップ。
【請求項５】
特に、被覆キャップ（８）の円筒状の壁（２５）が栓キャップ（７）と係合するため、下側の自由端部に円筒壁（２８）の係合突起（２８）より高く突出する係合フランジ（２４）が設けられることを特徴とする請求項１ないし４の何れかに記載する栓キャップ。
【請求項６】
特に、栓キャップカバー（１２）が設けられた栓キャップ（７）に、被覆キャップの係合フランジ（２４）が可逆的に係合するための係合凹部（２３）が設けられることを特徴とする請求項１ないし５の何れかに記載する栓キャップ。
【請求項７】
特に、係合凹部（２３）が栓キャップカバー（１２）の下側の断面に配置されることを特徴とする請求項１ないし６の何れかに記載する栓キャップ。
【請求項８】
特に、被覆キャップ（８）が貫通部（１７）を覆う被覆キャップカバー（１９）を備えたことを特徴とする請求項１ないし７の何れかに記載する栓キャップ。
【請求項９】
特に、被覆キャップカバー（１９）に、被覆キャップカバー（１９）の外周まで延びる弱点線（２９）によって破断片（２２）を形成させることを特徴とする請求項１ないし８の何れかに記載する栓キャップ。
【請求項１０】
特に、直径上に対向しそれぞれ被覆キャップカバー（１９）の中央部に達する２つの破断片（２２）が設けられることを特徴とする請求項１ないし９の何れかに記載する栓キャップ。
【請求項１１】
特に、破断片（２２）がそれぞれ栓キャップカバー（１２）によって囲まれる貫通部（１７）の周辺に配置されることを特徴とする請求項１ないし１０の何れかに記載する栓キャップ。
【請求項１２】
特に、被覆キャップ（８）が栓キャップ（７）に対して回転できないように固定されることを特徴とする請求項１ないし１１の何れかに記載する栓キャップ。
【請求項１３】
特に、回転に対する固定が、栓キャップ（７）の対応する垂直溝（３２）に係合する、被覆キャップ（８）の円筒壁（２５）の内側に形成された垂直リブ（３１）によって達成されることを特徴とする請求項１ないし１２の何れかに記載する栓キャップ。
【請求項１４】
特に、栓キャップ（７）の垂直溝（３２）が２つ円弧セグメント状の下側係合片（１４）間の分離範囲に同時に形成されるにことを特徴とする請求項１ないし１３の何れかに記載する栓キャップ。
【請求項１５】
特に、垂直溝（３２）が、栓キャップ（７）のリング状壁（１３）の残存部（３３）を残して、栓キャップカバー（１２）の上側まで続いていることを特徴とする請求項１ないし１４の何れかに記載する栓キャップ。
【請求項１６】
特に、栓キャップ（７）の壁と栓キャップカバー（１２）の間の緩い円錐状過渡部を特徴とする請求項１ないし１５の何れかに記載する栓キャップ。
【請求項１７】
特に、シール部品（１）が、栓キャップ（７）のリング状の壁（１３）の内側（３６）に対して半径方向の距離（ｙ）を残して終わることを特徴とする請求項１ないし１６の何れかに記載する栓キャップ。
【発明の詳細な説明】
【技術分野】
【０００１】
本発明は、ビンの頸部に適合するゴム状のシール部品を有する点滴または輸血用ビンの栓キャップに関するもので、栓キャップはビン頸部の膨らみの下側に係合するように形成され、さらに栓キャップをビンの頸部に形状的に固定するための被覆キャップが設けられている。
【背景技術】
【０００２】
ドイツ特許第ＤＥ−ＰＳ３７１５１７５Ｃ１号によって、閉止部として構成されるシール部の固定を、従来の縁を曲げた金属キャップの形状の栓キャップによって固定することは既知である。この栓キャップのカバー部に残された開口部にはカニューレまたは輸血用器具を取り付けることが可能である。最初の状態において、この開口部は被覆キャップとして病原菌を遮断するプラスチックのカバーによって閉じられている。このプラスチックのカバーは必要により取り外すことができる。この作業は、プラスチックカバーの材料の厚さを薄くして設けた破断線によって容易に実施することができる。
【０００３】
装置に関連して縁を曲げる代わりに、ドイツ特許第ＤＥ−４０１５５１０Ａ１号は、シール部を固定する栓キャップを膨らみの下側に係合させる方法でピンの頸部に固定し、この下側係合部を被覆キャップによって形状的に固定することを提案している。この場合、被覆キャップは締め輪としての作用をする。この締め輪は環状滑動体として形成され、栓キャップカバーの上側から下方向に押し込まれる。
【特許文献１】
ドイツ特許第ＤＥ−ＰＳ３７１５１７５Ｃ１号
【特許文献２】
ドイツ特許第ＤＥ−４０１５５１０Ａ１号
【発明の開示】
【発明が解決しようとする課題】
【０００４】
これらの知識の下に、本発明はこの種の栓を組立上有利で取り扱いが容易な組立体として形成することを目的とするものである。
【課題を解決するための手段】
【０００５】
この課題は先ず本質的に請求項１の特徴を有する栓によって解決され、ここでシール部品は栓キャップに組み込まれ、シール部品は栓キャップの外側に貫通部を露出させており、貫通部を覆う被覆キャップは、貫通部に対し軸方向の距離を保った第１の可逆係合位置で、栓キャップに保持することができることを考慮している。
【０００６】
このような構成によって、対象とする栓の使用価値が向上する。これは栓を構成する部品の組立を考慮し、かつ上記の栓キャップおよび被覆キャップの間の距離を確保するように設定された予備固定に関する組立体が得られることによるものである。これによって栓の殺菌時に自由に表面が処理できる。被覆キャップを係合ハブの周囲に滑らせて移動させることにより、栓キャップをビンの頸部に予定通り形状的に固定することができる。またシール部品は機械的に充分な強度を持って保持体、すなわち栓キャップに取り付けられ固定される。さらに上記の処理が容易な面が外部に自由に提供される。これらのことは、下側にすべての部品を取囲む被覆キャップにも適用される。距離が定められた可逆係合位置は、被覆キャップの組立移動がさらに進むことが自由になるいわば反応するしきい値を有し、栓キャップの下側係合部とビン頸部の係合が行なわれる。自動ロックが形成される。すでに説明したように、壁が栓キャップの固定領域全体に係合ひだのように垂れ下がっている。
【０００７】
請求項１以外の請求項の対象は、以下に述べる請求項１の対象についての説明であるが、それと無関係に成形方法が重要である。栓キャップおよびシール部品は２成分射出成形によって製作される。この方法によって得られるか、または調整される接着力は十分であることが確認された。何れにせよ、例えば上記の殺菌、輸送、挿入工程の通過、選別工程での移動などに関連して生ずる従来の機械的応力によって分離させることはできない。一方、例えば種類毎に分離しなければならない場合は、意図して組立体を分離することができなければならない。栓キャップは、比較的軟らかい予備成形されたシール部品に射出成形することが好ましい。こうすることによって別の意味を持つ効果が得られる。すなわちシール部品は、収縮による弾性的な予圧力を持って栓キャップに保持される。このことは一方では成形されたキャップの底部、他方では穴のように成形した貫通部に当て嵌まり、全体的な収縮によって両者とも僅かに縮む。これにより同時に同じような形状のシール部品に対する好都合な保持力が生ずる。さらに本発明は、係合突起を備えた下側係合片を持つ円周方向の円弧セグメント状に栓キャップを構成することを提案する。下側係合片の外側の係合凹部は、対応する係合突起を備えた被覆キャップの円筒状の壁と係合する。下側係合片は独立した舌状体である。またばねのように撓むことができる。係合凹部および対応する係合突起に関しては、ジグザグ形ないし鋸歯状の構成が適用される。さらに本発明は、被覆キャップの円筒壁が栓キャップと係合するため、その下側の自由端に円筒壁の係合突起より高い係合フランジを設けることを提案している。このフランジはその部分のキャップの縁を厚くし、栓の第２の基本的に不可逆な係合位置に対する後方の安定した支持とする。さらに栓キャップカバーが取り付けられる栓キャップに、被覆キャップの係合フランジと可逆的に係合する係合凹部が設けられる。栓キャップカバーに設けられた係合凹部の形成によって、予備組立された部品に対する殺菌時においてできるだけ広い自由表面が得られる。具体的には係合凹部は栓キャップカバーの下側すなわちカバーの近くに設けられる。被覆キャップは貫通部を覆う被覆キャップカバーを備えている。使用時に必要となる貫通部の処置は、被覆キャップカバーに被覆キャップカバーの外周まで伸びる破断線を設けるによって破断片を形成するという簡単な方法によって実現される。周辺の掴み部は普通は分離位置となり、好都合に予備組み立てされた部品内部への通路となる。直径上に対向して、それぞれが被覆キャップカバーの中央部まで達する２つの破断片を形成すると好都合である。さらに、破断片は被覆キャップカバーによって囲まれるそれぞれの貫通部の周囲に配置することを提案する。貫通部はカバーの部分に島のように分布して配置される。さらに被覆キャップは栓キャップに対して回転しないようにする。回転に対する固定の形成は、本来の特徴として含まれるものである。具体的に回転に対する固定は、栓キャップの対応する垂直溝に係合する被覆キャップの円筒壁の内側に形成された垂直リブによって達成される。垂直溝は本発明の特徴の一つである。この構成は、栓ャップの垂直溝が２つの円弧セグメント状の下側係合片の間の分離範囲によって同時に形成される特徴がある。さらに垂直溝を、栓キャップの壁の残存部を残して栓キャップカバーの上側まで延長すると有利な構造が得られる。残存部は栓キャップの壁と栓キャップカバーの過渡部における弱い円錐形によって発生する。最後に本発明の有利な代替案が、シール部品を栓キャップのリング状の壁の内側に対して半径方向の距離を残して終わらせることによって得られる。このような周上のリング状の隙間は、製作的に容易に配慮することができる。この内側との接触のない配置は、前に説明したこの部分の固定圧力を必要とせず、互いに固定される面を低減したい場合に使用される。さらに栓キャップのカバーまで達する半径隙間は、種類による選別のためシール部品を取り外す場合に都合よく利用できる。シール部品は牡蠣のように貝殻から取り外される。
【発明の効果】
【０００８】
組立上有利で取り扱いが容易な点滴または輸血用ビンの栓が得られる。
【発明を実施するための最良の形態】
【０００９】
本発明の対象を図面に示す実施例によって詳細に説明する。
【００１０】
図示した金属製ではない栓Ｖは、内部にシール部品１が保持されて互いに組み込むことができる二重キャッブから構成される。
【００１１】
シール部品１は熱可塑性の弾性ゴム(ＴＰＥ)から構成され、基本的に円板の形状である。その周囲部分２はビンの頸部３の方向に向って厚くなっている。
【００１２】
点滴または輸血用に使用されるビン４はガラスから構成される。ビン頸部３の自由端４は半径方向の外側に向って広がり膨らみ５となる。これによって下側のえぐり面６が形成される。この部分は栓Ｖの本来の栓キャップ７による下側の係合に利用される。栓キャップ７を覆う被覆キャップは参照番号８を持っている。
【００１３】
膨らみ５によって広がる端面９は、回転対称の斜め屋根状に形成される。斜め屋根の長い面は外側に向って下がる。内径部は急傾斜の短い接続面を持つ凸面の丸みによってビンの頸部３の開口部１０につながる。
【００１４】
開口部１０に向かい合うシール部品１の下側面は、平面状の凹部となる。凹部は参照番号１１を持っている。
【００１５】
粘性の強い硬化プラスチック（ＰＰ）から構成される栓キャップ７は、同じ材料の被覆キャップ８のようにカップ形である。栓キャップはシール部品１を外側から取囲む貝殻状で、中央のほぼ平面の栓キャップカバー１２から構成される。このカバーはリング状の壁１３につながる。カバー１２およびリング状の壁１３は、互いに約９０度以上の角度で接続され、頂上の角部は約１１０度で接続される。貝殻状を形成するリング状の壁１３の範囲は緩い円錐面に形成され、カバー側の周囲部分は僅かな鋭角で傾斜する面となる（図１参照）。壁の範囲はｂ、カバー周囲部はｂの参照記号を付ける。この両者は同じ脚長である。
【００１６】
リング状の壁１３には、その下側端部に至る下部係合片１４が続いている。栓キャップ７の周方向には、円筒状の円弧セグメントが続き、優れた復元力を備えたばね性のある個々の係合片が形成される。さらに円弧状の形状は安定性を増す効果がある。下側係合手段は一体に形成され、ビンの頸部側に突き出している係合突起１５である。この係合突起１５は、ビンの頸部３のえぐり面６の下側にスナップ作用で固定される。部分６および１５の表面形状は互いに協調している。これらは外側に向って水平から約４０度の角度で上昇する。
【００１７】
個々の係合片１４が自由になるよう切断される分離範囲は、リング状の壁１３の長いスリット１６によって形成される。長いスリット１６のスリット根元１６は、ビンの頸部３における端面９の突き出した頂上とほぼ同じ高さである。
【００１８】
栓キャップカバー１２に貫通することができる範囲が残される。１つの形態においては対応する貫通範囲１７は蓋Vの中央部に設けられ、円形の穴１８の形状で、その半径の中心点は基本的に回転対称である栓Ｖの長手中心軸ｘ−ｘと交差する。
【００１９】
中央部の貫通範囲は図９に示される形態で具体化されている。それ以外は図１による基本的な形態と同じである。参照番号は準用して使用され、一部は説明なしで繰返されている。
【００２０】
基本形態は図６から明らかに分るように、２つのこのような貫通範囲１７が栓キャップカバー１２に設けられている。
【００２１】
シール部品１には、貫通範囲１７を囲むそれぞれの穴１８の空間を埋めるゴム状の物質が突き出している。
【００２２】
被覆キャップ８のカバー１９の下側または内側に、対応する充填突起を打ち抜き部または穴１８を埋めるように突出させることによって、穴１８を閉じることもできる。この場合、シール部品１には外面に設けられる円板状の充填部材２０を設けない。
【００２３】
シール部品１を閉止キャップ７に組み込むことは製造的に有利であり、この場合シール部品１は栓キャッププ７の貫通部１７範囲では外側に露出されている。露出とは実際的な貫通性を残すことを意味し、したがって上側に残った皮膜がまだこの機能を残していると理解される。
【００２４】
栓キャップ7およびシール部品１は２成分射出成形によって製作される。予備成形された比較的軟らかいシール部品１の射出体は、成形のため射出／モールド型に取り付けられ、比較的硬い栓キャップ７を製作する材料が周囲に射出される。これによって期待される部品１および７の互いの結合が行なわれ、互いの接着度は、シール部品１が自立性のある硬い物体、すなわち栓キャップ７に固着することなく取り外すことができるように調整される。
【００２５】
さらにこのような製作方法において、部品１および７の機械的な結合に驚くべき効果が生じ、シール部品１に装着するカップ状の材料または部品の収縮によって、栓キャップ７にシール部品１に対する弾性的な与圧、またはその逆が発生する。したがって円板状のシール部品１の外周部は、リング状の壁１３の貝殻を形成する範囲、すなわち範囲ａは縁が固定される。同様なことは僅かに収縮する穴１８にも生じ、充填部２０を周囲から固定する。
【００２６】
このようにシール部を装着した栓キャップ７は、被覆キャップ８と組み合わされ予備組立される（図９参照）。
【００２７】
この状態で被覆キャップ８は、栓キャップ７に被せられ挿入されるように手前に配置される。この組合せ位置は、被覆キャップ８のカバー１９の内側と貫通部１７を備えた栓キャップカバー１２の上側との間の軸方向の距離ｙを残した第１の可逆係合位置として定義される。この第１の可逆係合位置は図においてＩで示される。
【００２８】
このように組み合わされた部品１／７／８は、従来の機械的な荷重に対して抵抗があり、予備組立された部品は輸送し、分類し、必要な場合は従来の消毒処理を実施することができる。この場合部品７および８は互いに組み込まれておらず、さらに破断片２２の下側にある被覆キャップカバー１２の開口部２１は、距離ｙに達する空間が残されている。
【００２９】
係合によって決定される距離ｙによって、下側係合片１４は自由な状態でばね作用が完全に残されている。栓Ｖはビンの頸部３の上に置かれる。上側から加えられる組立圧力によって、ばね作用のある下側係合片１４は、最後に係合突起１５がくぼみ面６の下側にスナップ係合するまで、ビン頸部３の断面の大きな膨らみ５の上を滑る。部品７および８を距離ｙに保持する係合力は、上記説明による固定が行われた後に初めて、栓キャップ７の周囲壁上を被覆キャップ８が滑ることができるような限界しきい値を設定することによって得られる。
【００３０】
構造的に第１の可逆係合位置Ｉは、栓キャップ７に係合溝２３を設けることによって得られる。これはリング状の壁１３の外側における栓キャップカバーの近くの、正確には栓Ｖのカバー１２が占める断面より下の、周囲を囲む溝とすることが好ましい。対応する係合手段はカップ状の被覆キャップ８の円筒壁２５内側の係合フランジ２４である。
【００３１】
部品７および８が互いに組み込まれた状態（例えば図１参照）では、上記の係合フランジ２４は係合膨らみ１５の下側における斜めの係合面２６の下にスナップ係合している。この状態で円筒状の壁２３は下側係合片１４の円筒を締め輪状に囲み、栓Ｖは点滴または輸血用ビンの頸部３に完全に固定される。実際上滑動リングを形成する部品８によって固定され、可逆性のないこの固定状態をＩＩで示す。これは塑性変形手段のない縁の折り曲げのような作用をする。
【００３２】
リング状の壁１３の外側および円筒壁２５の内側は、長いスリット１６のスリット根元１６’から係合フランジ２４まで凹凸が設けられる。これは順序よく配置され、水平方向の歯形形状を持って形状的に係合する凹凸である。構造的に詳しく言えば、栓キャップ７は周方向に円筒セグメント状に形成された下側係合片１４の外側に係合凹部２７を備えている。この凹部に円筒壁２５の内側に形成されたリブ状の係合突起２８が係合する。洗濯板状の形状は図面より詳細に理解できる。係合突起２８は係合フランジ２４より半径方向に低い高さを持っている。
【００３３】
被覆キャップカバー１９に取り付けられて残っている切り取り片２２に戻ると、これは周囲が切断できる舌状の形状である。薄い線２９によって破断が容易になっている。この線は上側の切欠状の溝で、溝の底は橋状の材料による破断部を形成する。周辺の開口部２１の範囲は、勿論切断されており容易に破断することができる。破断片２２の自由に突き出した端部が有効に作用する。この突き出しは被覆キャップ８全体の直径から突き出する必要はなく、図示したようにこの端部は周囲の壁とほぼ一致している。対応する谷部は参照番号３０を持っている。
【００３４】
基本形態では、直径上に位置する２つの破断片２２が設けられる。その端部は被覆キャップカバー１９の中心の手前で逆方向の丸みが付けられる。それぞれ破断片２２は、栓キャップカバー１２によって囲まれる貫通部１７の周囲に配置される。
【００３５】
組立時に貫通部１７および破断片２２の完全な調整を行なうため、被覆キャップ８を栓キャップ７に回転しないように固定するが、中心に設けた栓Ｖの貫通部１７および直径上に延びる破断片２２の場合は、勿論この処置は不要である。
【００３６】
回転の固定は被覆キャップ８の円筒壁２５の内側に形成した垂直なリブ３１によって行なう。このリブは係合突起２８の高さを超え、栓キャップのリング状の壁１３の断面部分、詳しく言えば長いスリット１６の断面部分に達する。
【００３７】
直径上に対向する、軸方向に向いた２つの垂直リブ３１を成形することが好ましい。
【００３８】
リング状の壁１３において円錐状の貝殻の部分によって、スリット１６が設けられていない長いスリット１６の区間ａ部分には、外側に開口する垂直溝３２が連続して設けられる。この部分は前に説明したように栓Ｖの上方向に向かって壁の厚さを保ちながら細くなっているので、少ない断面であっても壁の厚さを残すことができる。これに関連して、栓キャップ７の垂直溝３２を、２つの隣り合う円弧セグメント状の下側係合片１４の分離部とともに形成するという構造的な対策は、図面によって理解することができる。図１４において、垂直溝３２が栓キャップカバー１２の上側まで続いており、この部分に栓キャップ７のリング状の壁１３における明確な残存部が残されていることが特によく分る。
【００３９】
全部で８つの均等な角度の１６／３２の係合空間が設けられ、そのうち直径上に対向する２つに垂直リブ３１が係合される。
【００４０】
係合空間と穴１８の空間的な配置は、希望する穴１８を完全な露出が上を覆う破断片３２によって行われるようにする。
【００４１】
正しい差し込み調整は、被覆キャップ８を栓キャップ７に対して僅かに回転させることにより実際的に認識することができる。しかし一方では使用していない係合空間１６／３２を入り口側で遮断することもできる。中心に設けた穴１９の場合は、このような配慮は必要がない。
【００４２】
シール部品１を形成する物質を既に成形された栓キャップ７に射出する場合、ＴＰＥ材料の射出は穴１８から実施することができる。しかし図１４には射出を２つの周辺に近い場所に設けられた専用の穴３４から行い、別の１つは排気穴として機能することを示している。栓キャップカバー１２の直径上に配置される穴３４は、充填部２０を形成する穴１８の直径の数分の１である。その比率は１：６である。穴１８または３４はそれぞれ円形である。これらは円筒、円錐の一部またはくり抜きでもよい。
【００４３】
図１５に示した栓Ｖの代替案は、導入部で説明した基本形態に構造的に類似している。参照記号は準拠して使用され、基本形態から分る代替案に対してその一部は説明無しで使用されている。
【００４４】
構造の差異は、ほぼ円板状のシール素子１の周辺が、栓キャップ７のリング状の壁１３の内側に対して半径方向の距離ｚを残して終わっていることである。シール素子１のほぼ円筒状の縁３５は、周囲のリング状の壁１３の内側３６に接触してない。このように形成された周上の環状隙間は参照番号３７を持っている。基本形態において環状隙間３７は単に痕跡として残っているだけである。この隙間は裸のまま貝殻を形成するリング状の壁１３の垂直長さの一部に伸び、長いスリットの根元１６’の直ぐ後で終わっている
【００４５】
リング状の壁１３の栓キャップカバー１２に向かって緩やかな円錐状で細くなった部分ａのため、上記のリング状の隙間３７はカー側の隙間の根元に対して狭くなる。隙間の根元部は、栓キャップ７のｂとして示される部分の一部である。スリットの根元はシール部品１およびリング状の壁１３またはカバー１２の間の接触していない部分にあることが分る。
【００４６】
リング状の隙間３７はシール部品１および栓キャップ７の間に形成される固定圧力の遮断として利用することができる。半径方向のリング状の隙間３７は、説明した収縮過程の後でも残るように寸法が定められる。この部分は、例えば栓Ｖを構成する部品を希望する種類に分類するための取り外し工具の取り付け部として利用される。
【００４７】
一方、栓キャップ７の係合凹部２３に関しては、内側へのばね作用のための僅かな空間を与える。
【００４８】
貫通部１７に関しては上記に説明した手段が使用される。説明した穴１８の貫通部を、シール部品１に設けた充填体２０によって塞がないように変更する場合は、反対に被覆キャップカバー１９、または図示されるようには断片２２の下側から対応する突起を突出させて穴を塞ぐことができる。この突起はもちろん円筒状でもよいし切断円錐状でもよい。切断円錐状の場合は穴１８をそれに適合させ漏斗形とする。被覆キャップ８の背面に設ける突起は上側から凹まして設けることもできる。
【００４９】
正確な穴との位置決めは、何れの場合も説明した垂直リブ３２および垂直溝３２などの角度調整手段による。
【００５０】
開示されたすべての特徴は本発明に対し基本的なものである。従って、対応する／添付の優先書類（事前出願のコピー）の開示もまたすべて本出願の開示内に含まれるものであり、その目的のためこれらの書類の特徴もこの出願の請求事項に含まれるものである。
【産業上の利用可能性】
【００５１】
点滴または輸血用ビンの栓として利用できる。
【図面の簡単な説明】
【００５２】
【図１】ビン頸部に取り付けられた本発明による栓で、半分を断面図とした拡大図である。
【図２】取り付けられた栓の俯瞰図である。
【図３】図２と同様な図で一部を破断したものである。
【図４】取り外した栓の破断片で、片方を長手断面で示した図である。
【図５】単独で一部を破断した付属する被覆キャップの図である。
【図６】対応する栓キャップで一部を破断した図である。
【図７】予備成形したシール部品である。
【図８】一部を破断した点滴または輸血用ビンの頸部の図である。
【図９】一部を破断して軸方向に間隔を設けて示した、栓キャップの予備組立した部品の図である。
【図１０】組み立てるため位置を調節したビンの頸部の図である。
【図１１】差し込んで組み立て、未だ固定していない栓およびビンの図である。
【図１２】差し込んで組み立て、最終位置に移動させた被覆キャップ固定した栓およびビンの図である。
【図１３】中心に貫通部を設けた図１２の位置における栓キャップの代替案の図であるが、ビンの頸部示されていない。
【図１４】既存の長いスリットおよび被覆キャップカバーの近くに設けられた垂直溝から形成される、栓キャップ側の回転に対する固定の手段の構成を示した、付属するシール部品を備えた栓キャップの図である。
【図１５】図１のように示された栓キャップの代替案である。
【国際公開パンフレット】
2004536686.tif 000003
2004536686.tif 000004
2004536686.tif 000005
2004536686.tif 000006
2004536686.tif 000007
2004536686.tif 000008
2004536686.tif 000009
2004536686.tif 000010
2004536686.tif 000011
2004536686.tif 000012
2004536686.tif 000013
2004536686.tif 000014
2004536686.tif 000015
2004536686.tif 000016
2004536686.tif 000017
2004536686.tif 000018
2004536686.tif 000019
2004536686.tif 000020
2004536686.tif 000021
2004536686.tif 000022
2004536686.tif 000023
2004536686.tif 000024
2004536686.tif 000025
2004536686.tif 000026
2004536686.tif 000027
2004536686.tif 000028
2004536686.tif 000029
【手続補正書】
【提出日】平成15年5月20日(2003.5.20)
【手続補正１】
【補正対象書類名】特許請求の範囲
【補正対象項目名】全文
【補正方法】変更
【補正の内容】
【特許請求の範囲】
【請求項１】
ビンの頸部（３）に適合したゴム状のシール部品（１）を備えた点滴または輸血用ビンの栓（Ｖ）であって、栓キャップ（７）はビン頸部（３）の膨らみ（５）の下側に係合するように形成され、さらに被覆キャップ（８）が栓キャップ（７）をビン頸部（３）に形状的に固定するため設けられた栓において、
シール部品（１）は栓キャップ（７）に組み込まれ、
シール部品（１）は栓キャップ（７）の外側に貫通部（１７）を露出させており、および
貫通部（１７）を覆う被覆キャップ（８）は、栓キャップ（７）と貫通部（１７）の間に軸方向の距離（ｙ）を保つ第１の可逆的係合位置（Ｉ）に固定することができることを特徴とする栓。
【請求項２】
栓キャップ（７）およびシール部品（１）が２成分射出成形により製作されることを特徴とする請求項１に記載する栓。
【請求項３】
特に、シール部品（１）に、収縮によって栓キャップ（７）に対する弾性的予圧力を生じることを特徴とする請求項２に記載する栓。
【請求項４】
栓キャップ（７）が、対応する係合突起（２８）を備えた被覆キャップ（８）の円筒状の壁（２５）と係合する外側の係合凹部（２７）を備え、かつ係合突起（１５）を設けた下側係合片（１４）を有する円周方向の円弧セグメント状に構成されることを特徴とする請求項１ないし３の何れかに記載する栓。
【請求項５】
被覆キャップ（８）の円筒状の壁（２５）が栓キャップ（７）と係合するため、下側の自由端部に円筒壁の係合突起（２８）より高く突出する係合フランジ（２４）が設けられることを特徴とする請求項４に記載する栓。
【請求項６】
栓キャップカバー（１２）が設けられた栓キャップ（７）に、被覆キャップの係合フランジ（２４）が可逆的係合のため係合凹部（２３）設けられることを特徴とする請求項５記載する栓。
【請求項７】
係合凹部（２３）が栓キャップカバー（１２）の下側の断面に設けられたことを特徴とする請求項６に記載する栓。
【請求項８】
被覆キャップ（８）が貫通部（１７）を覆う被覆キャップカバー（１９）を備えたことを特徴とする請求項１に記載する栓。
【請求項９】
被覆キャップカバー（１９）に被覆キャップカバー（１９）の外周まで延びる弱点線（２９）によって破断片（２２）を形成させることを特徴とする請求項８に記載する栓。
【請求項１０】
直径上に対向しそれぞれ被覆キャップカバー（１９）の中央部に達する２つの破断片（２２）が設けられることを特徴とする請求項９に記載する栓。
【請求項１１】
破断片（２２）がそれぞれ栓キャップカバー（１２）によって囲まれる貫通部（１７）の周辺に配置されることを特徴とする請求項１ないし１０の何れかに記載する栓。
【請求項１２】
被覆キャップ（８）が栓キャップ（７）に対して回転できないように固定されることを特徴とする請求項１に記載する栓。
【請求項１３】
回転に対する固定が、対応する栓キャップ（７）の垂直溝（３２）に係合する被覆キャップ（８）の円筒壁（２５）の内側に形成された垂直リブ（３１）によって達成されることを特徴とする請求項４または１２の何れかに記載する栓。
【請求項１４】
栓キャップ（７）の垂直溝（３２）が２つ円弧セグメント状の下側係合片（１４）間の分離範囲に同時に形成されるにことを特徴とする請求項４または１３の何れかに記載する栓。
【請求項１５】
垂直溝（３２）が、栓キャップ（７）のリング状壁（１３）の残存部（３３）を残して、栓キャップカバー（１２）の上側まで続いていることを特徴とする請求項１４に記載する栓。
【請求項１６】
栓キャップ（７）の壁と栓キャップカバー（１２）の間の緩い円錐状過渡部を特徴とする請求項１ないし１５の何れかに記載する栓。
【請求項１７】
シール部品（１）が、栓キャップ（７）のリング状の壁（１３）の内側（３６）に対して半径方向の距離（ｙ）を残して終わることを特徴とする請求項１ないし１６の何れかに記載する栓。
【国際調査報告】
2004536686.tif 000030
2004536686.tif 000031
2004536686.tif 000032
2004536686.tif 000033